(57)【要約】トランスポンダ(２３)は、包装体、包装材料、機械部材(１６)のような物体を同定する目的で使用され、同定しようとする物体に取り付けられる。トランスポンダは、電子工学的書き込みユニットによって提供されるデータを保持しており、読み出しユニット(１５)によって認識される。トランスポンダは、隠された態様で機械、機械のパーツ等に設けられるか、例えば凹部(２１)のような機械の部分内に埋設される。
2005522380.tif 000002
【特許請求の範囲】
【請求項１】
物体、特に、包装体、包装材料、包装機、包装機のパーツ、包装機アセンブリー等を同定する方法であって、下記の(ａ)(ｂ)(ｃ)を特徴とする方法。
(ａ)高周波技術の原理に基づいて作動する少なくとも１つのデータ媒体、特に、トランスポンダ(１４，２０，２３，４３)が物体に取り付けられる、
(ｂ)前記データ媒体は、電子工学的書き込みユニットによって、前記物体に関連するデータすなわち情報を備えられる。
(ｃ)前記物体またはデータ媒体は、物体を同定するために、または、データまたはデータ媒体に関する情報を取得するために、電子工学的読み出しユニットに向けられる、
【請求項２】
シガレットパック、特に、シガレット用のバンドルパック(２４)は、パックの包装材またはバンドルパックの包装材の内側に取り付けられた少なくとも１つのトランスポンダ(２３)を備える点を特徴とする請求項１記載の方法。
【請求項３】
トランスポンダ(２３)が、包装材、特に、２つの層の間、または、複層の材料ウエブ(２８，３０)の間、または、複層の材料ウエブの間に埋設される点を特徴とする電子工学的データ媒体またはトランスポンダを備えるパックの製造方法。
【請求項４】
包装体用のブランク、特に、シガレットパック用のブランクの製造方法であって、下記の(ａ)(ｂ)(ｃ)(ｄ)を特徴とする方法。
(ａ)包装材の材料ウエブ(２８)が連続して移送される、
(ｂ)トランスポンダ(２３)が、材料ウエブ(２８)の一方の側、特に、完成時のパックにおいて内側を形成する材料ウエブ(２８)の側に次々に取り付けられる、特に、接着によって固定される、
(ｃ)トランスポンダは、製造しようとするブランクの大きさに対応する相対的な位置、および、パック内またはパック面の所望位置において材料ウエブ(２８)に取り付けられる、
(ｄ)ブランクは、連続するトランスポンダ(２３)の間の領域において、材料ウエブから付随的に切断される、
【請求項５】
下記の(ａ)(ｂ)(ｃ)を特徴とする請求項１〜４のいずれか１記載の方法。
(ａ)少なくとも２つの材料ウエブ(２８，３０)が、互いに対し(鋭)角をなして移送される、
(ｂ)トランスポンダ(２３)は、互いに離間されて材料ウエブ(２８)に向けられ、材料ウエブ(２８)の他の材料ウエブ(３０)と対面する側に取り付けられる。
(ｃ)２つの材料ウエブは、それらが一体に圧接されて、トランスポンダ(２３)が材料ウエブ(２８，３０)の間に埋設されるまで合体される、
【請求項６】
電子工学的データ媒体すなわちトランスポンダ(４３)は、シガレットパック(４１)の帯封(４２)-収入印紙-に、特に、パックと対面する帯封(４２)の内側面に取り付けられる点を特徴とする請求項１〜５のいずれか１記載の方法。
【請求項７】
下記の(ａ)(ｂ)(ｃ)を特徴とする請求項６記載の方法。
(ａ)帯封(４２)は、帯封装置の領域において、事前に調製されたウエブ(４４)から連続して切断され、シガレットパック(４１)に供給される、
(ｂ)ウエブ(４４)は、ウエブ(４４)を横断する方向に配列される帯封(４２)を形成するためのプリントされたエリアを有する、
(ｃ)トランスポンダ(４３)は、ウエブ(４４)内に規定された帯封(４２)の各領域、特に、帯封の完成時のシガレットパック(４１)と対面する側に取り付けられる、
【請求項８】
トランスポンダ(２３)は、互いに離間して、特にリールとして巻かれる媒体ウエブ(３６)に分離可能に取り付けられ、媒体ウエブ(３６)が巻き戻されると、連続して包装機、特に、垂直面内に待機して保持されるブランクに供給され、前記包装材料に圧接される、点を特徴とする請求項１〜７のいずれか１記載の方法。
【請求項９】
媒体ウエブ(３６)によって供給されたトランスポンダ(２３)は、いずれも、バンドルパック用のブランク(３３)に取り付けられる点、および、ブランク(３３)は、トランスポンダ(２３)がパックの内容物すなわちパックのグループと対面するように、横断するパックのグループによって、折り曲げタレット(３４)のポケット(３７)に挿入されることができる点を特徴とする請求項８記載の方法。
【請求項１０】
機械、特に、包装機の部材と包装機アセンブリー、特に、折り曲げ、移送および貯留を行うためのアセンブリーと機構を備える包装機であって、
機械部材および/またはアセンブリーおよび/または部材および/またはそれらのパーツが、適切な部材、アセンブリー、機構等を同定するための記憶されたデータ、特に、それらの出所と機械内部において充当された位置を同定するためのデータを備えるトランスポンダ(１４，２０)を有する点を特徴とする包装機。
【請求項１１】
機械すなわち包装機内部の各トランスポンダは、読み出しユニット(１５)に隣接するトランスポンダ(１４，２０)、または、読み出しユニット(１５)に隣接する部材、アセンブリー、機構等を同定するための特別な固定された読み出しユニット(１５)に充当される点を特徴とする請求項１０記載の包装機。
【請求項１２】
トランスポンダ(１４，２０)のそれぞれは、隠れた位置にある、または、保護カバーを備える該当する部材、アセンブリー、機構等に取り付けられる点を特徴とする請求項１０または１１記載の包装機。
【請求項１３】
トランスポンダ(１４，２０)は、部材、アセンブリー、機構等の内部、好ましくは、プラスチックまたは類似の材料で作られるパーツ内に埋設される点を特徴とする請求項１０記載の包装機。
【発明の詳細な説明】
【技術分野】
【０００１】
本発明は、物体、特に、包装体、包装材料、包装機、包装機のパーツ、包装機のアセンブリー等の物体を同定するための方法に関する。更にこの発明は、同定用のデータ媒体を有する包装体、包装材料、包装機、包装機アセンブリー等に関する。
【背景技術】
【０００２】
【特許文献１】US特許第4,708,704号明細書  材料または機械および機械パーツを同定することは原理的に知られている。包装体と包装材料、特にシガレットパックの場合には、パックの生産、パックの内容物に関するデータが、コード化された形態でパック面に存在することが重要である。機械パーツ、機械アセンブリー、特に、交換パーツの場合には、同定が、機械パーツを特別のフォーマットのために正しく充当することを保証する。
【発明の開示】
【発明が解決しようとする課題】
【０００３】
この発明は、最も広範な意味において、同定目的の特に高周波技術を援用する物体の電子工学的同定に関する。この目的のために、いわゆるトランスポンダが採用される。
【０００４】
この発明の目的は、検索可能な情報を記録する目的でトランスポンダを援用して物体を同定する手段を提案することである。
【課題を解決するための手段】
【０００５】
この目的を達成するために、この発明の方法は、以下の点を特徴とする。
(ａ)高周波技術に基づいて作動する少なくとも１つのデータ媒体が物体に取り付けられる、
(ｂ)データ媒体は、物体に関するデータすなわち情報を電子工学的書き込みユニットによって提供される、
(ｃ)物体を同定するため、そして、データ媒体のデータすなわち情報を記録するために、物体またはデータ媒体が電子工学的読み出しユニットに供給される、
【０００６】
この発明の同定は、特にシガレット産業にとって利益が大きい。この発明によれば、シガレットパック、特に、シガレットのバンドルパック-いわゆるシガレットカートン‐は、包装材料、すなわち、バンドルパックの外側包装材の内側面に取り付けられ、包装体の内容物に関するデータを収容するトランスポンダを備えている。この場合、１つの特別な様相は、包装材料の生産に関する。トランスポンダは、包装材料‐紙、フィルムまたはラミネートの連続ウエブ面の正確な位置に、材料ウエブから切断される各ブランクが、１つのトランスポンダに充当される態様で取り付けられる。包装材料は、連続ウエブの少なくとも２つの層を含むことが好ましく、トランスポンダは、包装材料が完成したとき、包装体を邪魔しない位置において２つの層の間に、そして、これらの層の間の見えない位置に挿入される。
【０００７】
別の特別な様相は、蓋または収入印紙のストリップを備えるシガレットパックの具体例である。この発明によれば、このストリップは、１つには税関連データを記録し、更には特定の生産データを記憶することができるトランスポンダを備えている。
【０００８】
別の重要なトピックは、機械のパーツ、特に包装機のパーツの同定である。その目的は、機械のパーツ、アセンブリー等を、１つにはそれによって在庫維持を便ならしめ、さらになお、包装機のパーツ、部品、アセンブリー等を交換するときの正確な充当手段として便利なように、トランスポンダを援用して同定することである。前記の充当を保証するために、この発明は、適切に位置決めされた包装機のパーツ、アセンブリー等の１つまたは複数のトランスポンダに隣り合う包装機中にインストゥールされた少なくとも１つの電子工学的読み出しユニットを備える。
【発明を実施するための最良の形態】
【０００９】
この発明の別の細部と特徴は、以下の模範具体例に基づいて説明される。
【００１０】
図面はトランスポンダ、すなわち、高周波技術の原理に基づいて作動するデータ媒体の使用と応用の重要な例を説明する。トランスポンダは、異なる形状と大きさを示すことができ、例えば、これらはラベル、シート、またはディスクの形態をとることができるばかりでなく、シリンダーまたはロッドの形状に造形することもできる。すべての種類の情報とデータは、特に電子工学的書き込みユニットによって転送されてトランスポンダに記憶されることができる。このデータは、対応構造の読み出しユニットによって再読み出しされることができる。
【００１１】
１つの特徴は、包装機のパーツと部品の同定にトランスポンダを用いることである。図１は、ヒンジ蓋付きシガレットパック、特定すれば、円形のパック縁部を持つパック‐円形コーナーのヒンジ蓋付きパックを製造する包装機の側面図を示す。包装機は、複数のアセンブリーを含む。その例として、ブランク装置(図２)と折り曲げタレット(図３、図４)が示されている。
【００１２】
知られた設計を備える図２のブランク装置は、ブランクマガジン１０を有し、いわゆるディスペンサロールによってブランクがマガジンから連続して取り出される。ブランクは、ブランクの通路１２に供給され、この領域には様々なツールが配置されてブランクの折り曲げと変形を行う。円形コーナーのパックを製造する場合には、円形パックの縁部が、特定していえば、形成ツールを援用して、すなわち今の場合は、円形付与ローラ１３によって、ブランクの側部タブを折り曲げることによって事前に形成される。このアセンブリーの構造と作動方法はUS特許第4,708,704号明細書において知られている。
【００１３】
図２の装置は、全体として、または、個々の部材に関してどちらでも同定することができることを意味しており、特に、それらの出所に関して正確な指示を可能にする。この目的で、少なくとも適切にプログラムされたトランスポンダ１４が、図２のブランク装置に取り付けられる。その特徴は、トランスポンダ１４が、保護された、或いは、隠された位置に取り付けられる点で、これによって、手動作業の可能性、すなわち、独断的なアクセスの結果としての損傷や変更を巻き込むような可能性を排除する。トランスポンダ１４は、この目的で、機械部材の内部に埋設されている。図示の模範具体例においては、シリンダー状またはロッド状のトランスポンダが円形付与ローラ13内に埋設される。前記ローラは、高周波が妨げられずに通り抜けることができる順応性のある材料で製造される。図示の場合は、トランスポンダ１４の媒体、すなわち、円形付与ローラ１３が、プラスチックで製造される。トランスポンダ１４は、機械部材が形成されるとき埋設される。それに代えて、トランスポンダ１４は、適当な凹部内に付随して挿入されてもよく、前記凹部はカバーによって閉じられる。
【００１４】
トランスポンダ内のデータは、機械内で検査される。ブランク装置の場合は、データは、適切な適用のための取り外しが可能なユニットの指示に関する。データは読み込みユニット１５によって書き込まれる。この読み込みユニット１５は、集めたデータを加工するための(中央)評価ユニットに接続される。特に、トランスポンダ１４に書き込まれて評価されたデータを根拠に欠陥機が同定される度に、１つのエラー信号が発生される。読み込みユニット１５は、それが関連するトランスポンダに照準を合わせて、これに隣接して配置される態様で、包装機内、または、ブランク装置の領域内に設けられる。
【００１５】
別の重要な模範具体例が図３および図４に示されている。包装機の中心的な構成要件は、折り曲げタレット１６である。今の場合は、それが、フラットなプレート状のキャリヤー１７が、垂直軸を中心として回転することができるような構造である。複数のポケット１８が、キャリヤー１７の外周に取り付けられており、各ポケットが、１つのブランクまたはパックを収容することができる。
【００１６】
折り曲げタレット１６またはそのキャリヤー１７は、包装機の１つの交換可能なアセンブリーユニットである。直立シャフトジャーナル１９の上端部に取り付けられたキャリヤー１７は、ねじによって取り外すことができる。
【００１７】
折り曲げタレット１６すなわちキャリヤー１７が交換されるときは、正しいタイプの取り替えユニットが組み込まれることが必要である。このために、折り曲げタレット16は、キャリヤー１７の底部がわに取り付けられた(フラットなディスク状の)トランスポンダ２０を備えている。ここでは同時に、読み出しユニット１５がトランスポンダ２０に充当されている。読み出しユニットもまた、トランスポンダ２０が、少なくとも１つの(マウントされた)位置において読み出しユニットと向き合って存在するように,折り曲げタレット１６またはキャリヤー１７の下の固定位置に取り付けられる。この読み出しユニット１５もまた、中央評価ユニットに接続される。
【００１８】
1つの特徴は、トランスポンダ２０が、包装機の部材すなわちキャリヤー１７の外側に取り付けられるのではなく、その代わりに埋設されることである。キャリヤー１７は、成形されるか、慣習的な凹部２１を備えており、この中に埋設されたトランスポンダ２０を備える支持部材２２が挿入される。支持部材２２は、プラスチックで製造することができるが、それは少なくとも、トランスポンダ２０の技術に関してはニュートラル材料で製造されなければならない。トランスポンダ２０は、許可を受けない操作に対して保護されて固定される。
【００１９】
図５、６は、シガレット包装体に関連するトランスポンダ２３の特別な応用を示す。トランスポンダは、バンドルパック２４-１０個のシガレットパックのグループのための-シガレットカートン-に取り付けられる。バンドルパック２４は、トランスポンダ２３が内側に、特に包装体の大きい面積の壁２５の領域に取り付けられる外側包装材を備えている。トランスポンダ２３は、シガレットとそれらの包装体の製造に関するデータを特に保持する。制御の目的でこのデータを読み出すために、読み出しユニット２６が採用される。
【００２０】
そのような多数のバンドルパック２４は、輸送目的で大コンテナー、すなわち、ケース２７内に載置される。ケース２７が、バンドルパック２４で完全に充填されたかどうかを確認するために読み出しユニット２６が採用される。ケース２７内の多数のバンドルパック２４のすべてのトランスポンダー２３を走査することによって、ケース２７が、同じ製品のバンドルパック２４で充填されているかどうかを確かめることも可能である。
【００２１】
トランスポンダ２３を具備するパックの工業的製造は、図７の手順にしたがって実行される。この場合、トランスポンダ２３は、連続材料ウエブ２８に供給されて、正確な位置で前記ウエブに取り付けられる。トランスポンダ２３は、例えば、図５によるバンドルパック２４の製造中にブランクを付随的に切断する間に各包装体用のブランク面に適切な位置を占めるように配置される。トランスポンダ２３は、特別なコンベヤー２９によって材料ウエブ２８に供給され、例えば接着によってこれに取り付けられる。
【００２２】
図７の別の特徴は、トランスポンダ２３が、材料ウエブ２８と別の材料ウエブ３０の間に挟持される、すなわち、これらのウエブ２８、３０の間に埋設されることである。これら２つの材料ウエブ２８、３０は、適切に配置された２つの転向ローラによって、収束する態様すなわちロート状態様に配向される。トランスポンダ２３は、材料ウエブ２８がまだ別体に指向されている間に材料ウエブ２８に取り付けられる。材料ウエブ２８と３０は、その後、加圧ローラ３１、３２の間で接合されトランスポンダ２３を埋設して互いに接続される。このように形成される多層材料ウエブは、各ブランクが、所望の位置に少なくとも１つのトランスポンダ２３を備えるように包装体用のブランクを切断するために、ブランク装置に供給される。
【００２３】
図８は、トランスポンダ２３の利用における別の特徴を示す。包装体、特に、シガレット用のバンドルパック２４の仕上げを行う間、および、外側包装材の付与に関連して、トランスポンダ２３は、外側包装材用のブランク３３に直接取り付けられる。バンドルパック２４の製造装置がここに概略的に描かれており、２つの折り曲げたレット３４、３５を有するバンドルパッカーを示している。この場合、折り曲げたレット３５を出るバンドルパック２４は、その上側、もっと正確にいえば、上部パック壁２５の内側にトランスポンダ２３を備えている。
【００２４】
トランスポンダ２３は、それらを供給し検索するための媒体ウエブ３６に取り付けられる。ここでは、トランスポンダ２３は、折り曲げタレット３４のエントリー側に待機して保持されているブランク３３に供給されることが可能である製造方法の技術上の要件を保証するように離間されている。ブランク３３-材料ウエブから切断される-は、折り曲げタレット３４のポケット３７の前方の直立面内に配置されている。シガレットのグループを包装する工程は、従来どおり進行する、すなわち、ポケット３７内に挿入したパックグループのＵ字状包装体をポケット３７内に挿入して、この包装体と一緒にブランク３３を連行させる。トランスポンダ２３とブランク３３の対応する部分は、パックグループの上側に配置される。
【００２５】
トランスポンダ２３を備える媒体ウエブ３６は、特別な態様で調製される。トランスポンダ２３は、接着手段により媒体ウエブ３６に分離可能に固定される。転向領域、すなわち、小径の転向ローラ３８の領域において、媒体ウエブから分離されると同時にブランク３３に向かって押し付けられることによってブランク３３に移し変えられる。媒体ウエブは、３８を過ぎると巻き取りローラ３９に至り、このローラは、媒体ウエブ３６を巻き上げて再使用する。
【００２６】
図示の具体例においては、書き込みユニット４０、すなわち、該当するデータをトランスポンダ２３に転送する電子工学的デバイスが、折り曲げられていないブランク３３の領域、すなわち、転向ローラ３８の対向側に配置されている。したがって、包装体の内容を同定するためのデータは、折り曲げ工程のスタート直前に記録される。
【００２７】
図９および１０は、特殊なタイプのシガレットパック４１、すなわち、ソフトカップパックの設計と製造に関する。このパックは、Ｕ字状の帯封４２がパックの端面を横断して設けられるように設計される。この帯封４２は、シガレットパックの閉鎖手段として機能するが、主として、収入印紙として機能することを意図している。この場合の特徴は、トランスポンダ４３が帯封４２、好ましくは、その内側に取り付けられることが好ましい点である。このトランスポンダ４３は、必要な任意の会計データを保持することができるが、シガレットとパックの製造に関するデータを保持することもできる。
【００２８】
図１０は、その構造が不可欠の要件としてUS特許第5,972,153号明細書に対応する帯封装置を示す。帯封４２は、対応する事前にプリントされたウエブ４４から切断されて、吸着ベルト４５によって、折り曲げタレットにより運搬されるシガレットパック４１に供給される。横断方向への切断が仕上げ用の帯封４２のウエブ４４を調製する。このために、ウエブ４４の一方の面が、帯封４２を形成する場でプリントが施される。これらの場のそれぞれにおいて、ウエブ４４の裏面にトランスポンダ４３が充当される。シガレットパックに供給された帯封４２は、したがって、その内側面に取り付けられたトランスポンダ４３をすでに備えている。
【００２９】
トランスポンダ４３は、有利に活性化される、すなわち、帯封４２がシガレットパック４１に取り付けられる前に必要なデータを備えている。今の例においては、ウエブ４４の領域に1つの電子工学的書き込みユニット４６が設けられており、ウエブ４４が書き込みユニット４６を通り過ぎるとき適切な必要データをトランスポンダ４３に転送する。その代替手段として、帯封４２がパックに取り付けられた後にデータがトランスポンダ４３に転送されるように構成することもできる。ここに説明した特徴もまた、帯封が別途に形成されて、堆積体として、すなわち、包装機に充当されるマガジンから取り出して利用される場合にも同様に適用することが可能である。
【図面の簡単な説明】
【００３０】
【図１】シガレットパックを製造するための包装機の概略的側面図。
【図２】図１の包装機の１アセンブリー、すなわち、ブランク装置の拡大側面図。
【図３】包装機の折り曲げタレットの概略的平面図。
【図４】図３のIV‐IV切断面に沿う折り曲げタレットの拡大断面図。
【図５】包装体すなわちシガレットカートンおよび読み出しユニットの斜視図。
【図６】大きな包装体、すなわち、図５に示す多数のバンドル包装体(カートン)を収容する輸送梱包体の斜視図。
【図７】トランスポンダを備える包装材料の製造を描写する概略的側面図。
【図８】トランスポンダ付きのパック製造装置の側面図。
【図９】ヒンジ蓋付きタイプのシガレットパックの斜視図。
【図１０】帯封ユニット、すなわち、収入印紙を製造し、これらを(シガレット)パックに付与する装置。
【符号の説明】
【００３１】
１０…ブランクマガジン，１１…ディスペンサーロール，１２…ブランクの通路，１３…円形付与ローラ，１４…トランスポンダ，１５…読み出しユニット，１６…折り曲げタレット，１７…キャリヤー，１８…ポケット，１９…シャフトジャーナル，２０…トランスポンダ，２１…凹部，２２…支持部材，２３…トランスポンダ，２４…バンドルパック，２５…パック壁，２６…読み出しユニット，２７…ケース，２８…材料ウエブ，２９…コンベヤー，３０…材料ウエブ，３１…加圧ローラ，３２…加圧ローラ，３３…ブランク，３４…折り曲げタレット，３５…折り曲げタレット，３６…媒体ウエブ，３７…ポケット，３８…転向ロール，３９…巻き取りロール，４０…書き込みユニット，４１…シガレットパック，４２…帯封，４３…トランスポンダ，４４…ウエブ，４５…吸着ベルト，４６…書き込みユニット，
【図１】
2005522380.tif 000003
【図２】
2005522380.tif 000004
【図３】
2005522380.tif 000005
【図４】
2005522380.tif 000006
【図５】
2005522380.tif 000007
【図６】
2005522380.tif 000008
【図７】
2005522380.tif 000009
【図８】
2005522380.tif 000010
【図９】
2005522380.tif 000011
【図１０】
2005522380.tif 000012
【国際調査報告】
2005522380.tif 000013
2005522380.tif 000014
2005522380.tif 000015
2005522380.tif 000016
2005522380.tif 000017
2005522380.tif 000018
2005522380.tif 000019
2005522380.tif 000020